(57)【特許請求の範囲】
【請求項１】
浴槽側防水パン及び洗い場側防水パンを一体成形又は連接した防水パンと、浴槽側防水パンに載置した浴槽と、浴槽と防水パンの間に着脱可能に設けたエプロンとを備えた浴室において、浴槽側防水パンは、浴槽の底部側が載置される凹部と、凹部の立ち壁部の上縁から張り出して洗い場床面より高く且つ浴槽の開口上縁部より低い位置にある張出部とが形成され、凹部の立ち壁部の上縁側と浴槽の隙間をシール材で水密に封止し、シール材及び張出部の上面側と洗い場側防水パンの洗い場側を上方排水路で連通したことを特徴する浴槽側及び洗い場側の防水パン備えた浴室。
【請求項２】
前記張出部は、洗い場側へ向かって排水勾配を設け、前記エプロンの下方寄りとの間に隙間を形成して、該隙間を前記上方排水路とした請求項１記載の浴槽側及び洗い場側の防水パン備えた浴室。
【請求項３】
前記張出部は、排水勾配を設け、排水勾配の水下側と前記洗い場用防水パンの洗い場側を、前記上方排水路を形成する排水管で連通した請求項１記載の浴槽側及び洗い場側の防水パン備えた浴室。
【請求項４】
浴槽側防水パン及び洗い場側防水パンを一体成形又は連接した防水パンと、浴槽側防水パンに載置した浴槽と、浴槽と防水パンの間に着脱可能に設けたエプロンとを備えた浴室において、浴槽側防水パンは、浴槽の底部側が載置される凹部と、凹部の立ち壁部の洗い場側を除く上縁から張り出した三方の壁パネル載置部とが形成され、三方の壁パネル載置部に三方の壁パネルを起立させ、三方の壁パネル及び凹部の立ち壁部の洗い場側上縁側からなる外側の四周環状面領域と浴槽の立ち壁部からなる内側の四周環状面領域との隙間を、洗い場床面より高く且つ浴槽の開口上縁部より低い位置にあるシール材で水密に封止し、シール材の上面側と洗い場側防水パンの洗い場側を上方排水路で連通したことを特徴する浴槽側及び洗い場側の防水パン備えた浴室。
【発明の詳細な説明】
【技術分野】
【０００１】
本発明は、浴槽を載置した浴槽側防水パンの内側底面に水を浸入させない浴室の構造に関するものである。
【背景技術】
【０００２】
浴室には、浴槽側防水パン及び洗い場側防水パンを一体成形又は連接した防水パンと、浴槽側防水パンに載置した浴槽と、浴槽と防水パンの間に着脱可能に設けたエプロンと、浴槽側防水パンの側縁部に載置して起立した壁パネルとを備えたタイプのものがある（特許文献１）。浴槽側防水パンは、その底部裏側に排水部を設けて、壁パネルと浴槽の隙間や壁パネルとエプロンの隙間等から浸入して防水パン底面側へ回った水の排水と、浴槽の排水とを行なうようにしてある。
【０００３】
そして、浴槽側防水パンの排水部には、浴槽の排水時に浴槽側防水パン側への逆流を防止するフロートを有する逆流装置を設けるものもある（特許文献２）。
【特許文献１】特開２００１−１４６７７８号公報
【特許文献２】特開平３−２６０２３０号公報
【発明の開示】
【発明が解決しようとする課題】
【０００４】
しかし、浴槽側防水パンの排水部は、浴槽側防水パンの内側底面へ回った水の排水及び浴槽の排水の両方を行なうため、構造が複雑となる。また、逆流装置を設ける場合には、逆流装置を定期的に保守する手間を必要とすると共に、エプロンを取り外して洗い場側から保守作業ができるように浴槽側防水パンと浴槽の間に保守用空間を確保する必要があり、更に構造が複雑となる。
【０００５】
本発明は、上記問題を解決するために、浴槽側防水パンの内側底面へ水を回さない構造の浴室の提供を目的とするものである。
【課題を解決するための手段】
【０００６】
浴槽側防水パンの内側底面へ水を回さない構造とするために請求項１記載の本発明が採用した手段は、浴槽側防水パン及び洗い場側防水パンを一体成形又は連接した防水パンと、浴槽側防水パンに載置した浴槽と、浴槽と防水パンの間に着脱可能に設けたエプロンとを備えた浴室において、浴槽側防水パンは、浴槽の底部側が載置される凹部と、凹部の立ち壁部の上縁から張り出して洗い場床面より高く且つ浴槽の開口上縁部より低い位置にある張出部とが形成され、凹部の立ち壁部の上縁側と浴槽の隙間をシール材で水密に封止し、シール材及び張出部の上面側と洗い場側防水パンの洗い場側を上方排水路で連通したことを特徴する浴槽側及び洗い場側の防水パン備えた浴室である。
本発明にあっては、浴槽側防水パンに浸入して張出部へ回った水を、シール材で水密に封止した凹部へ浸入させることなく、上方排水路を介して洗い場側へ排出する。
【０００７】
張出部に残水させないために請求項２記載の本発明が採用した手段は、前記張出部は、洗い場側へ向かって排水勾配を設け、前記エプロンの下方寄りとの間に隙間を形成して、該隙間を前記上方排水路とした請求項１記載の浴槽側及び洗い場側の防水パン備えた浴室である。
本発明にあっては、浸入して張出部へ回った水を、上方排水路を介して洗い場側へ確実に排出する。
【０００８】
張出部に残水させないために請求項３記載の本発明が採用した手段は、前記張出部は、排水勾配を設け、排水勾配の水下側と前記洗い場用防水パンの洗い場側を、前記上方排水路を形成する排水管で連通した請求項１記載の浴槽側及び洗い場側の防水パン備えた浴室である。
本発明にあっては、浸入して張出部へ回った水を、洗い場床面側へ確実に排出する。
【０００９】
浴槽側防水パンの内側底面へ水を回さない構造とするために請求項４記載の本発明が採用した手段は、浴槽側防水パン及び洗い場側防水パンを一体成形又は連接した防水パンと、浴槽側防水パンに載置した浴槽と、浴槽と防水パンの間に着脱可能に設けたエプロンとを備えた浴室において、浴槽側防水パンは、浴槽の底部側が載置される凹部と、凹部の立ち壁部の洗い場側を除く上縁から張り出した三方の壁パネル載置部とが形成され、三方の壁パネル載置部に三方の壁パネルを起立させ、三方の壁パネル及び凹部の立ち壁部の洗い場側上縁側からなる外側の四周環状面領域と浴槽の立ち壁部からなる内側の四周環状面領域との隙間を、洗い場床面より高く且つ浴槽の開口上縁部より低い位置にあるシール材で水密に封止し、シール材の上面側と洗い場側防水パンの洗い場側を上方排水路で連通したことを特徴する浴槽側及び洗い場側の防水パン備えた浴室である。
本発明にあっては、壁パネルと浴槽の隙間から浸入してシール材の上面へ至った水を、浴槽側防水パンの凹部へ浸入させることなく、上方排水路を介して洗い場側へ排出する。
【発明の効果】
【００１０】
請求項１及び４記載の本発明に係る浴槽側及び洗い場側の防水パン備えた浴室は、浴槽側防水パンの底面側については、浴槽側防水パンの排水が不要なため浴槽の排水だけを考慮すればよく、浴槽側防水パンの排水部の構造を簡単とすることができる。
【００１１】
請求項２及び３記載の本発明に係る浴槽側及び洗い場側の防水パン備えた浴室は、浸入して張出部へ回った水を洗い場側へ確実に排出して、張出部に残水させることがない。
【発明を実施するための最良の形態】
【００１２】
本発明に係る浴槽側及び洗い場側の防水パン備えた浴室（以下、「本発明浴室」と言う。）を図面に示す実施形態に基づいて説明する。
【００１３】
（第１の実施の形態）
図１乃至図５は本発明浴室の第１の実施の形態を示すものであって、図１は浴槽の上面側の一部を破断すると共に左右の中間を省略して示す平面図、図２は浴槽及びエプロンを撤去した状態で左右の中間を省略して示す平面図、図３は図１のＡ−Ａ線で断面した正面図、図４は図１のＢ−Ｂ線で断面した正面図、図５は浴槽側防水パンの張出部の別態様を示す正面図である。なお、以下の説明において、「左」は浴槽側を指し、「右」は洗い場側を指している。
【００１４】
本発明浴室１は、図１乃至図４に示す如く、浴槽側防水パン３及び洗い場側防水パン４を一体成形又は連接した防水パン２と、浴槽側防水パン３に載置した浴槽５と、浴槽５と防水パン２の間に着脱可能に設けたエプロン６と、浴槽側防水パン３の洗い場側を除く三方（本例では、前側、後側及び左側）の側縁部に載置して起立した三方の壁パネル７，７，７と、洗い場側防水パン４の浴槽側を除く三方の側縁部に載置して起立した二方（本例では後側・右側）の壁パネル７，７及び他方（本例では前側）の出入口扉８とを備えている。
【００１５】
前記浴槽５は、合成樹脂素材（例えば、ＦＲＰ）や金属素材（例えば、ステンレススチール）等で成形され、四周の立ち壁部５ａの上縁から鍔状の開口上縁部５ｂを張り出し、底部裏面から短管状の排水管５ｃを突出してある。
【００１６】
前記防水パン２は、合成樹脂素材（例えば、ＦＲＰ）や金属素材（例えば、ステンレススチール）等で別体に成形した浴槽側防水パン３及び洗い場側防水パン４をボルト・ナット等で接合して連接することで一体化する場合（図示省略）と、浴槽側防水パン３及び洗い場側防水パン４を一体に成形する場合（図示の場合）とがあり、浴室の平面寸法や、施工現場への搬入条件等に基づいて何れかが選択される。
【００１７】
前記浴槽側防水パン３は、浴槽５の底部側が嵌まり込んで載置される凹部３ａと、凹部３ａの四周の立ち壁部３ｂの各上縁から張り出した環状の張出部３ｃとが形成され、張出部３ｃの高さ位置を洗い場床面４ａより高く且つ浴槽５の開口上縁部５ｂより低くすると共に、凹部３ａの底部３ｄの高さ位置を洗い場床面４ａより低くし、更に、張出部３ｃの洗い場側を除く三方（本例では、前側、後側及び左側）の側縁部を壁パネル載置部３ｃ−１としてある。三方の各壁パネル載置部３ｃ−１は、その高さ位置を浴槽５の開口上縁部５ｂより低くし、建て込んで起立させた壁パネル７に浴槽５の開口上縁部５ｂを接近又は目地材１５（図３参照）を介して密着させるようにしてある。浴槽側防水パン３は、環状の張出部３ｃの上面に、洗い場側へ向かって排水勾配を設け、エプロン６の下方寄りとの間に形成した隙間を上方排水路１３としている（図４参照）。浴槽側防水パン３は、底部３ｄの裏面から浴槽用排水管１０を延設して、後述する排水トラップ１１に連通してある。浴槽側防水パン３は、載置した浴槽５の排水管５ｃが、浴槽用排水管１０に嵌合して水密状態で接合されてある。
【００１８】
前記洗い場側防水パン４は、浴槽側を除く二方（本例では、後側及び右側）の側縁に壁パネル載置部４ｂを形成すると共に、他方（本例では前側）の側縁部に出入口扉枠載置部４ｃを形成してある。前記洗い場側防水パン４は、洗い場床面４ａの裏面に排水トラップ１１を取付け、洗い場床面４ａ及び浴槽５の両排水を排水トラップ１１で排水するようにしてある。
【００１９】
前記エプロン６は、浴槽５の開口上縁部５ｂ、防水パン２の浴槽側防水パン３と洗い場側防水パン４の境界部に形成した突出堤防部２ａ（本例は、突出堤防部２ａの一部を、浴槽側防水パン３の張出部３ｃの右側で形成している。）及び前後の壁パネル７，７で囲まれた領域に、着脱自在に配設されている。本発明浴室１は、エプロン６を取り外すと、洗い場側に浴槽５の裏面側が露出するようになっている。エプロン６は、防水パン２の突出堤防部２ａとの間に上方排水路１３を形成してある。
【００２０】
本発明浴室１は、浴槽側防水パン３の四周の立ち壁部３ｂの上縁側と浴槽５の四周の立ち壁部５ａとの隙間にシール材１２を配置して、シール材１２で該隙間を水密に封止すると共に、シール材１２及び張出部３ｃの上面側と洗い場側防水パン４の洗い場側とを上方排水路１３で連通してある。シール材１２は、その上面１２ａを浴槽側防水パン３の張出部３ｃの上面より若干上方へ突出させ、上面１２ａへ至った水を張出部３ｃへ流すようにしてある。シール材１２は、発泡ゴム又は発泡樹脂等の変形し易く且つ非透水性の弾性材から成形され、次のようにして配置される。第１の配置方法は、予め浴槽側防水パン３の立ち壁部３ｂの内周面に環状のシール材１２を接着又は粘着等で水密に接合し、次に浴槽側防水パン３の凹部３ａに浴槽５の底部側を嵌入して載置するときに、シール材１２を圧縮させつつ環状のシール材１２に浴槽５の立ち壁部５ａを内嵌させることで、シール材１２の内周面に浴槽５の立ち壁部５ａの外周面を水密に圧着させる。第２の配置方法は、予め浴槽５の立ち壁部５ａの外周面に環状のシール材１２を接着又は粘着等して水密に接合し、次に浴槽側防水パン３の凹部３ａに浴槽５を載置するときに、浴槽側防水パン３の立ち壁部３ｂに環状のシール材１２を圧縮させつつシール材１２を内嵌させることで、浴槽側防水パン３の立ち壁部３ｂの内周面にシール材１２の外周面を水密に圧着させる。第３の配置方法は、壁パネル７を建て込む前に、浴槽側防水パン３の凹部３ａに浴槽５を載置し、浴槽側防水パン３の立ち壁部３ｂと浴槽５の立ち壁部５ａの隙間にシール材１２を圧入しつつ水密に嵌入し、必要に応じてコーキング剤でシールを確実にする。配置されたシール材１２は、その上面１２ａに上方排水路１３へ向かう排水勾配が設けられている。
【００２１】
前記上方排水路１３は、エプロン６の下方寄りと防水パン２の突出堤防部２ａとの間に形成した隙間からなり、シール材１２及び張出部３ｃの上面へ浸入した水を洗い場側防水パン４の洗い場床面４ａへ導いて排水するようにしてある。
【００２２】
前記上方排水路１３は、図５に示す上方排水路１４に変更することも可能である。この変更例は、浴槽側防水パン３の環状の張出部３ｃに排水勾配を設けるとき、洗い場側の排水勾配を洗い場側へ向かわせないようにして、排水勾配の水下側３ｅと洗い場用防水パン４の洗い場側を排水管からなる上方排水路１４で連通してある。浴槽側防水パン３の四周の立ち壁部３ｂと浴槽５の四周の立ち壁部５ａとの隙間に配置した該隙間を封止するシール材１２は、その上面１２ａを浴槽側防水パン３の環状の張出部３ｃより若干上方へ突出させると共に、その上面１２ａに設ける排水勾配を環状の張出部３ｃの排水勾配と同様にし、その上面１２ａへ至った水を張出部３ｃへ流し込んで、張出部３ｃへ回った水と共に上方排水路１４へ排出させるようにする。排水管からなる上方排水路１４を設ける場合には、エプロン６の下方寄りと防水パン２の突出堤防部２ａの間を水密に封止することができる。
【００２３】
本発明浴室１は、壁パネル７と浴槽５の開口上縁部５ｂとの隙間及び／又はこの隙間を封止する目地材１５（図４参照）の切れ目等から浴槽側防水パン３へ浸入して張出部３ｃに回った水を、シール材１２で水密に封止した凹部３ａへ浸入させることなく、浴槽側防水パン３の環状の張出部３ｃや環状のシール材１２で受け止めて上方排水路１３（又は１４）へ導いて洗い場側へ排出することができる。本発明浴室１は、浴槽側防水パン３の底面側について、浴槽側防水パン３自体の排水が不要で浴槽５の排水だけを考慮すればよく、浴槽側防水パン３の排水部の構造を簡単とすることができる。
【００２４】
なお、浴槽側防水パン３の凹部３ａに水が回るアクシデェントがあったときには、浴槽５を若干持ち上げて浴槽用排水管１０と浴槽５の排水管５ｃの間に排水用の隙間を形成し、浴槽用排水管１０へ排水するとよい。
【００２５】
（第２の実施の形態）
図６乃至図８は本発明浴室の第２の実施の形態を示すものであって、図６は浴槽の上面側の一部を破断すると共に左右の中間を省略して示す平面図、図７は図６のＡ−Ａ線で断面した正面図、図８はシール材の拡大した断面図である。
【００２６】
本実施の形態に係る本発明浴室２１が前記第１の実施の形態に係る本発明浴室１と大きく相違する点は、シール材２２を配置する箇所であり、相違点以外の構成は前記第１の実施の形態と実質的に同一であり、図６乃至図８に示す同一符号は同一の構成部材等を示している。
【００２７】
本発明浴室２１は、浴槽側防水パン３の張出部３ｃの側縁部に形成した三方（本例では、前側、後側及び左側）の壁パネル載置部３ｃ−１，３ｃ−１，３ｃ−１に三方の壁パネル７，７，７を載置して建て込み、三方の壁パネル７，７，７及び浴槽側防水パン３の凹部３ａの立ち壁部３ｂの洗い場側上縁側からなる外側の四周環状面領域Ｄと浴槽５の四周の立ち壁部５ａからなる内側の四周環状面領域Ｅとの間に形成した隙間に、洗い場床面４ａより高く且つ浴槽５の開口上縁部５ｂより低い位置となる環状のシール材２２を配置して該隙間をシール材２２で水密に封止し、シール材２２の上面側と洗い場側防水パン４の洗い場側を上方排水路１３で連通してある。
【００２８】
前記シール材２２は、前記第１の実施の形態のシール材１２と同様に発泡ゴム又は発泡樹脂等の変形し易く且つ非透水性の弾性材から全体を成形したもの（前者）を用いるか、図８に示す如く、心材部２２ａ及び密着部２２ｂを組み合わせたもの（後者）を用いる。前者を用いるときのシール材２２の配置方法は、次のようにして行われる。第１の配置方法は、予め前記外側の四周環状面領域Ｄに環状のシール材２２を接着又は粘着等で水密に接合し、次に浴槽側防水パン３の凹部３ａに浴槽５の底部側を嵌入して載置するときに、シール材２２を圧縮させつつ環状のシール材２２に浴槽５の立ち壁部５ａからなる四周環状面領域Ｅを内嵌させることで、シール材２２の内周面に四周環状面領域Ｅを水密に圧着させる。第２の配置方法は、予め浴槽５の立ち壁部５ａからなる四周環状面領域Ｅに環状のシール材２２を接着又は粘着等して水密に接合し、次に浴槽側防水パン３の凹部３ａに浴槽５を載置するときに、前記外側の四周環状面領域Ｄに環状のシール材２２を圧縮させつつシール材２２を内嵌させることで、四周環状面領域Ｄにシール材２２の外周面を水密に圧着させる。シール材２２は、第１及び第２の配置方法のずれの場合にも、その上面に、上方排水路１３へ向かって排水勾配を設けてある。
【００２９】
後者の心材部２２ａ及び密着部２２ｂを組み合わせたシール材２２は、幅寸法Ｗの大きな配置箇所に用いられ、合成樹脂素材や金属素材等から成形した曲げ剛性の大きな変形し難い心材部２２ａと発泡ゴム又は発泡樹脂等の変形し易く且つ非透水性の弾性材から成形した密着部２２ｂとを水密に接合してある。密着部２２ｂには、密着性を高めるために複数状の環状凸部を形成することもある。シール材２２は、その上面に、上方排水路１３へ向かって排水勾配を設けてある。
【００３０】
後者のシール材２２の配置方法は、先ず三方の壁パネル７，７，７及び浴槽側防水パン３の立ち壁部３ｂからなる前記外側の四周環状面領域Ｄに、シール材２２の心材部２２ａをシール層２３を介してビス等で接合し、次に浴槽側防水パン３の凹部３ａに浴槽５を載置するときに、シール材２２の密着部２２ｂを圧縮させつつ浴槽５の立ち壁部５ａからなる前記内側の四周環状面領域Ｅを内嵌させることで、シール材２２の密着部２２ｂに四周環状面領域Ｅを水密に圧着させる。
【００３１】
本発明浴室２１は、浴槽側防水パン３の三方の壁パネル載置部３ｃ−１，３ｃ−１，３ｃ−１、並びに洗い場側防水パン４の二方（本例では後側・右側）の壁パネル載置部４ｂ，４ｂ及び他方（本例では前側）の出入口扉枠載置部４ｃの高さ位置を同一レベルとし、背丈が同一の壁パネル７及び出入口扉８を用いることができるようにしてある。
【００３２】
本発明浴室２１は、壁パネル７と浴槽５の開口上縁部５ｂとの隙間、又はこの隙間を封止する目地材１５（図７参照）の切れ目等から浴槽側防水パン３へ浸入して張出部３ｃに回った水を、シール材２２で水密に封止した凹部３ａへ浸入させることなく、浴槽側防水パン３の環状の張出部３ｃや環状のシール材２２で上方排水路１３へ導いて洗い場側へ排出することができる。本発明浴室２１は、浴槽側防水パン３の底面側について、浴槽側防水パン３自体の排水が不要で浴槽５の排水だけを考慮すればよく、浴槽側防水パン３の排水部の構造を簡単とすることができる。
【図面の簡単な説明】
【００３３】
【図１】本発明浴室の第１の実施の形態を示すものであって、浴槽の上面側の一部を破断すると共に左右の中間を省略して示す平面図である。
【図２】同実施の形態において浴槽及びエプロンを撤去した状態で左右の中間を省略して示す平面図である。
【図３】図１のＡ−Ａ線で断面した正面図である。
【図４】図１のＢ−Ｂ線で断面した正面図である。
【図５】浴槽側防水パンの張出部の別態様を示す正面図である。
【図６】本発明浴室の第２の実施の形態を示すものであって、浴槽の上面側の一部を破断すると共に左右の中間を省略して示す平面図である。
【図７】図６のＡ−Ａ線で断面した正面図である。
【図８】シール材の拡大した断面図である。
【符号の説明】
【００３４】
１…本発明浴室、２…防水パン、３…浴槽側防水パン、３ａ…凹部、３ｂ…立ち壁部、３ｃ…張出部、３ｃ−１…壁パネル載置部、３ｄ…底部、４…洗い場側防水パン、４ａ…洗い場床面、４ｂ…壁パネル載置部、４ｃ…出入口扉枠載置部、５…浴槽、５ａ…立ち壁部、５ｂ…開口上縁部、６…エプロン、７…壁パネル、８…出入口扉、１２（２２）…シール材、１２ａ…上面、１３…上方排水路
【図１】
0004939348.tif 000002
【図２】
0004939348.tif 000003
【図３】
0004939348.tif 000004
【図４】
0004939348.tif 000005
【図５】
0004939348.tif 000006
【図６】
0004939348.tif 000007
【図７】
0004939348.tif 000008
【図８】
0004939348.tif 000009